(57)【特許請求の範囲】
【請求項１】
化粧料を収納する一方、該化粧料の上面に切削皿を配置してこれを回転することにより、該切削皿の底面に形成した切削歯で上記化粧料を削り取るようにした化粧料容器において、
上記切削歯を長穴状の開口部によって多数形成し、これら切削歯の長手方向を、上記切削皿の回転中心から外周方向に指向させるとともに、いずれかの切削歯を上記切削皿の回転方向に互いにオーバーラップさせて、これら切削歯を全体的に放射状に該切削皿に配置し、かつ、それぞれの切削歯の長手方向を、上記切削皿の回転中心に関する径方向に対し同一方向に傾斜させたことを特徴とする化粧料容器。
【請求項２】
前記開口部のうち、前記切削皿の回転中心に位置する開口部を、該回転中心周りに略等間隔をもって配置するとともに、これら開口部を当該回転中心位置で互いに連続させて中心部切削歯を形成したことを特徴とする請求項１に記載の化粧料容器。
【請求項３】
前記中心部切削歯を、前記切削皿の回転中心に関する径方向に対し傾斜させたことを特徴とする請求項２に記載の化粧料容器。
【請求項４】
前記開口部を前記切削皿の回転方向に沿って湾曲させたことを特徴とする請求項１から３いずれかの項に記載の化粧料容器。
【発明の詳細な説明】
【０００１】
【発明の属する技術分野】
本発明は、化粧料を粉状に切削するようにした化粧料容器に関する。
【０００２】
【従来の技術】
一般に、パウダーなどの粉状化粧料は圧縮により固形化した状態で、コンパクトと称される化粧料容器に収納して携帯し、その化粧料の使用時には化粧料をパフで擦り取るようにしている。ところが、化粧料を擦り取るためには、パフの植毛部分を短くするなどして堅めにする必要があり、この堅めのパフを用いたことにより化粧感が悪いものとなっている。そこで、化粧料をその都度削り取って粉状にし、この粉状となった化粧料を使用することにより、毛足を長くする等して柔らかくしたパフの使用が可能となる。
【０００３】
このように化粧料を削り取るようにした化粧料容器が実公平５−３８６６１号公報に提案されている。即ち、このような化粧料容器は、容器本体に対して回転しないように化粧料を収納するとともに、この化粧料の上方に切削板を回転自在に設けて構成し、この切削板を回転しつつ化粧料を削り取るようになっている。上記切削板には径方向に長穴となる多数の切削歯が放射状に形成されて構成されるが、この放射状となる中心を切削板の回転中心から偏心させてある。
【０００４】
【発明が解決しようとする課題】
しかしながら、かかる従来の化粧料容器にあっては、切削板に放射状に形成した切削歯は、上述したようにこれの放射状となる中心を切削板の回転中心から単に偏心させたものであるため、それぞれの切削歯の指向方向は偏心させた方向によって変化し、その指向方向は切削板の回転中心に対して前方に傾斜される部分と、後方に傾斜される部分と、また、径方向に配置される部分とが様々に発生する。このため、切削歯で化粧料を削り取る切れ味が個々の切削歯で一定せず、延いては、全体の切削効率が悪化して切削板を回転させるのに比較的大きな力が必要になるとともに、化粧料の切削むらが発生してしまうという課題があった。
【０００５】
そこで、本発明はかかる従来の課題に鑑みて成されたもので、放射状に配置された切削歯を傾斜させて個々の切削歯による切削力を高めるとともに、全ての切削歯の傾斜方向を同一にしてそれぞれの切削歯の切れ味を等しくすることにより、全体的な切削効率を向上するようにした化粧料容器を提供することを目的とする。
【０００６】
【課題を解決するための手段】
かかる目的を達成するために本発明の化粧料容器の構成を請求項毎に以下述べる。
【０００７】
▲１▼請求項１の化粧料容器は、化粧料を収納する一方、該化粧料の上面に切削皿を配置してこれを回転することにより、該切削皿の底面に形成した切削歯で上記化粧料を削り取るようにした化粧料容器において、上記切削歯を長穴状の開口部によって多数形成し、これら切削歯の長手方向を、上記切削皿の回転中心から外周方向に指向させるとともに、いずれかの切削歯を上記切削皿の回転方向に互いにオーバーラップさせて、これら切削歯を全体的に放射状に該切削皿に配置し、かつ、それぞれの切削歯の長手方向を、上記切削皿の回転中心に関する径方向に対し同一方向に傾斜させたことを特徴とする。
【０００８】
▲２▼請求項２の化粧料容器は、上記請求項１に示す前記開口部のうち、前記切削皿の回転中心に位置する開口部を、該回転中心周りに略等間隔をもって配置するとともに、これら開口部を当該回転中心位置で互いに連続させて中心部切削歯を形成する。
【０００９】
▲３▼請求項３の化粧料容器は、上記請求項２に示す前記中心部切削歯を、前記切削皿の回転中心に関する径方向に対し傾斜させる。
【００１０】
▲４▼請求項４の化粧料容器は、上記請求項１から３のいずれかに示す前記開口部を前記切削皿の回転方向に沿って湾曲させる。
【００１１】
以上の構成により本発明の化粧料容器の作用を請求項毎に以下述べる。
【００１２】
▲１▼請求項１では、化粧料を削り取る切削皿の切削歯を長穴状の開口部によって多数形成し、これら切削歯の長手方向を、切削皿の回転中心から外周方向に指向させるとともに、いずれかの切削歯を切削皿の回転方向に互いにオーバーラップさせて、これら切削歯を全体的に放射状に切削皿に配置してあるので、上記切削歯を形成した切削皿を回転することにより、化粧料を全面に亘って削り取ることができる。ここで、上記それぞれの切削歯の長手方向を、切削皿の回転中心に関する径方向に対し同一方向に傾斜させてあり、このように統一して傾斜させることにより切削歯全体の切削性を向上することができる。従って、切削皿を回転する際にこの切削皿と化粧料との圧接力を小さくできるため、化粧料をより薄く削り取ることができ、削り取った化粧料の微細化を促進することができるとともに、この微細化を均一に作り出すことができる。
【００１３】
▲２▼請求項２では、上記切削皿の回転中心位置に形成した中心部切削歯は、切削皿の中心部に位置する化粧料部分を削り取るようになっており、該中心部切削歯は、切削皿の回転中心に位置する開口部を、この回転中心周りに略等間隔をもって配置するとともに、これら開口部を当該回転中心位置で互いに連続させて形成されているので、このような形態の開口部によって切削皿の回転中心部分の化粧料の切削性を向上することができる。
【００１４】
▲３▼請求項３では、中心部切削歯を、切削皿の回転中心に関する径方向に対し傾斜させたので、該中心部切削歯の切れ味を向上することができる。
【００１５】
▲４▼請求項４では、開口部を切削皿の回転方向に沿って湾曲させたので、これら切削歯および中心部切削歯の切れ味を更に向上させることができる。
【００１６】
【発明の実施の形態】
以下、本発明の実施形態を添付図面を参照して詳細に説明する。図１から図６は本発明の化粧料容器の一実施形態を示し、図１は蓋体を取り外して一部を断面で示す分解斜視図、図２は全体の断面図、図３は切削皿の平面図、図４は切削歯の１つを拡大して示す平面図、図５は図４中Ａ−Ａ線断面図、図６は使用状態を示す断面図である。
【００１７】
この実施形態の化粧料容器１０は、化粧料１２を収納する一方、この化粧料１２の上面に切削皿１４を配置してこれを回転（回転方向Ｘ）することにより、この切削皿１４の底面１４ａに形成した切削歯１６で化粧料１２を削り取って、これを使用するようになっている。
【００１８】
即ち、上記化粧料容器１０は、図１，図２に示すように容器本体１８と、この容器本体１８を開閉する蓋体２０と、容器本体１８の内側に嵌着される中枠２２とを備え、この中枠２２内に上記化粧料１２を収容した中皿２４が収納されるとともに、この中枠２２の上端部に上記切削皿１４が設けられるようになっている。
【００１９】
上記容器本体１８は底面１８ａと周壁１８ｂとによって円形皿状に形成され、周壁１８ｂの上端部に上記蓋体２０を嵌合するための小径部１８ｃが形成されている。上記蓋体２０は周縁部に筒状の周壁２０ａが形成されるとともに、該周壁２０ａの下端部に大径部２０ｂが形成され、蓋体２０の閉止時はこの大径部２０ｂが上記容器本体１８の小径部１８ｃに嵌合されるようになっている。
【００２０】
上記中枠２２は筒状に形成され、容器本体１８の周壁１８ｂから適宜間隔を隔てて配置されるとともに、その上端部は容器本体１８から突出されて、その外周部に係合突部２２ａが突設される。また、上記中枠２２の外側には、容器本体１８の周壁１８ｂ内周に密接する嵌合部２２ｂが突設され、この嵌合部２２ｂが周壁１８ｂ内に圧入されることにより、容器本体１８と中枠２２との相対回転が阻止される。更に、上記嵌合部２２ｂの下端部外側には、上記周壁１８ｂの内周に形成された周溝１８ｄに係合される突部２２ｃが突設され、これら周溝１８ｄと突部２２ｃとの係合状態で中枠２２の抜止めが行われる。
【００２１】
上記中皿２４は底面２４ａと周壁２４ｂとによって円形皿状に形成され、この中皿２４内に化粧料１２が圧縮により固形化されて収容される。そして、該中皿２４はこれと中枠２２との間に設けられた凹凸部２６によって、中枠２２の内周に上下摺動可能に嵌合されるとともに、中枠２２に対する相対回転が阻止される。また、容器本体１８の底面１８ａには、上記中枠２２の内方に位置して板ばね２８が設けられ、この板ばね２８の付勢力によって中皿２４は上方に押圧される。
【００２２】
上記切削皿１４は、底面１４ａと周壁１４ｂとによって円形皿状に形成され、周壁１４ｂの外径は上記中皿２４の内側に密接嵌合される大きさに形成される。該周壁１４ｂの上端部に上記中枠２２の上端に当接するフランジ１４ｃが形成され、このフランジ１４ｃの周縁部に形成した係合部１４ｄが、上記中枠２２の係合突起２２ａに係合されて、相対回転自在に抜止めされる。化粧料容器１０を使用しないときには、図２に示したように上記切削皿１４内にパフ３０を収納しておくことができる。
【００２３】
ところで、上記切削皿１４の底面１４ａには図３に示すように、多数の切削歯１６が形成されるが、これら切削歯１６は図４，図５に示すように長穴となる開口部１４ｅで形成し、これら長穴状の切削歯１６の長手方向を切削皿１４の回転中心Ｏから外周方向に指向させて、切削皿１４に全体的に放射状に配置することにより構成してある。このとき、放射状に配置された多数の切削歯１６は、いずれかが切削皿１４の回転方向Ｘに互いにオーバーラップされるようになっている。また、上記切削歯１６は同図に示すように上記開口部１４ｅの回転方向Ｘとは反対側の側縁を下方に向かって鋭角に延設し、この鋭角延設部を実質的な歯部１６ａとしてある。
【００２４】
また、上記切削皿１４の底面１４ａの回転中心部には中心部切削歯３２が形成され、この中心部切削歯３２によって化粧料１２の中心部を削り取るようになっている。上記中心部切削歯３２は、回転中心Ｏ周りに略等間隔をもって径方向に延びる３条の径方向開口部１４ｆを回転中心Ｏ位置で互いに連続させることにより構成してある。更に、上記中心部切削歯３２にあっても上記切削歯１６と同様に、上記径方向開口部１４ｆの回転方向Ｘとは反対側に鋭角に延設して歯部３２ａを形成してある。
【００２５】
ここで、本実施形態では上記それぞれの切削歯１６の長手方向を、切削皿１４の回転中心Ｏを中心とする径方向Ｙに対して所定量θ1 だけ同一方向に傾斜させて構成する。本実施形態ではこのときの傾斜方向は、切削歯１６の外径側が回転方向に対して先行するようになっている。
【００２６】
以上の構成により本実施形態の化粧料容器１０は、容器本体１８内に中枠２２と化粧料１２が収容された中皿２４と切削皿１４とがセットされた状態では、中枠２２は容器本体１８に対し嵌合されて一体化されており、切削皿１４は係合部１４ｄが係合突部２２ａに係合されて、中枠２２に対して上方への浮き上がりが阻止されつつ回転自在になっている。一方、中皿２４は凹凸部２６を介して中枠２２に対してその回転が阻止されつつ上下移動可能となっている。従って、板ばね２８の付勢力により中皿２４は上方に押圧されて、化粧料１２の上面は切削皿１４の底面１４ａ下側に常時圧接されることになる。
【００２７】
そして、上記化粧料容器１０の使用時には、図６に示すように蓋体２０を容器本体１８から取り外して切削皿１４を露出させ、この切削皿１４の周縁部を回転させることにより、これの底面１４ａに形成した切削歯１６によって化粧料１２の上面を削り取ることができる。このとき、放射状に配置された上記切削歯１６は、いずれかの切削歯１６を回転方向Ｘに互いにオーバーラップさせてあるので、化粧料１２の全面をむら無く削り取ることができる。また、化粧料１２の中心部は中心部切削歯３２により、上記切削歯１６によって削り取られる部分と均一に削り取られる。
【００２８】
このようにして削り取った化粧料は、粉状となって切削歯１６の開口部１４ｅから切削皿１４内方に進入して溜まり、このように切削皿１４内に溜まった粉状の化粧料をパフ３０に付着させて顔に塗布することができる。
【００２９】
ここで、上記それぞれの切削歯１６の長手方向を、切削皿１４の回転中心Ｏを中心とする径方向Ｙに対して所定量θ1 だけ同一方向に傾斜させたので、切削皿１４を回転させた時に、切削歯１６の歯部１６ａはすべてが化粧料１２を斜め方向に削り取って行くことになり、全体の切削性を大幅に向上することができる。また、このように切削性が向上されることにより、切削皿１４を回転する際にこの切削皿１４と化粧料１２との圧接力を小さくできるため、化粧料１２をより薄く削り取ることができ、延いては、削り取った化粧料の微細化を促進することができるとともに、この微細な粉状化粧料を均一に作り出すことができる。
【００３０】
また、上記切削皿１４の回転中心Ｏに形成した中心部切削歯３２は、切削皿１４の回転中心Ｏ部に位置する化粧料部分を削り取るようになっており、該中心部切削歯３２は３条の径方向開口部１４ｆを設けてあるので、この径方向開口部１４ｆによって化粧料１２の中心部の切削性を向上することができる。
【００３１】
図７は他の実施形態を示す切削皿１４の平面図で、上記実施形態と同一構成部分に同一符号を付して重複する説明を省略して述べる。
【００３２】
即ち、この実施形態では上記実施形態に示した中心部切削歯３２のそれぞれの３条の径方向開口部１４ｆを、回転中心Ｏを中心とする径方向Ｙに対して所定量θ2 だけ傾斜させることにより構成してある。
【００３３】
従って、この実施形態では中心部切削歯３２にあっても切削皿１４を回転させた時に、歯部３２ａは化粧料１２を斜め方向に削り取って行くことになり、切削性を向上することができる。また、このように中心部切削歯３２の切削性が向上されることにより、上記切削歯１６の切削性向上と相俟って化粧料１２をより薄く削り取って、化粧料の微細化を促進することができる。
【００３４】
図８は他の実施形態を示す切削皿１４の平面図で、上記実施形態と同一構成部分に同一符号を付して重複する説明を省略して述べる。
【００３５】
即ち、この実施形態では上記切削歯１６および上記中心部切削歯３２の開口部１４ｅ，１４ｆを、回転方向Ｘに緩やかに湾曲させてある。
【００３６】
従って、この実施形態では、湾曲させた開口部１４ｅ，１４ｆによって回転方向Ｘに対し化粧料１２を傾斜角が徐々に変化するように削り取ることができ、これら切削歯１６および中心部切削歯３２の切れ味を更に向上させることができる。
【００３７】
この実施形態では切削歯１６および中心部切削歯３２の両方を湾曲させた場合を開示したが、これに限ることなくいずれか一方を湾曲させることによっても、図３に示したように単に傾斜させた場合に比較してその切れ味を向上させることができる。また、上記中心部切削歯３２は３条の径方向開口部１４ｆを形成した場合を開示したが、これに限ることなくこの径方向開口部１４ｆを２条または４条以上としてもよい。
【００３８】
ところで、上記実施形態では容器本体１８と蓋体２０とを分離して、この蓋体２０を容器本体１８に嵌合するようにした場合を開示したが、これに限ることなく螺合構造としてもよく、また、容器本体１８と蓋体２０とを蝶番を介して開閉自在に連結することもできる。更に、容器本体１８および蓋体２０の外形形状は円形に限ることなく、多角形状に形成してもよい。
【００３９】
【発明の効果】
以上説明したように本発明の化粧料容器は、以下に述べるような各請求項毎の優れた効果を奏する。
【００４０】
▲１▼請求項１の化粧料容器では、切削皿に形成したそれぞれの切削歯の長手方向を、切削皿の回転中心に関する径方向に対し同一方向に傾斜させてあり、このように全ての切削歯の傾斜方向を統一することにより多数の切削歯全体の切削性を向上することができる。このように切削性が向上されることにより、切削皿を回転する際にこの切削皿と化粧料との圧接力を小さくできるため、化粧料をより薄く削り取ることができ、削り取った化粧料の微細化を促進することができるとともに、この微細な粉状を均一に作り出すことができる。
【００４１】
▲２▼請求項２の化粧料容器では、切削皿の回転中心位置に形成した中心部切削歯は、切削皿の中心部に位置する化粧料部分を削り取るようになっており、該中心部切削歯は、切削皿の回転中心に位置する開口部を、この回転中心周りに略等間隔をもって配置するとともに、これら開口部を当該回転中心位置で互いに連続させて形成されているので、このような形態の開口部によって切削皿の回転中心部分の化粧料の切削性を向上することができる。
【００４２】
▲３▼請求項３の化粧料容器では、中心部切削歯を、切削皿の回転中心に関する径方向に対し傾斜させたので、該中心部切削歯の切れ味を向上することができる。
【００４３】
▲４▼請求項４の化粧料容器では、開口部を切削皿の回転方向に沿って湾曲させたので、これら切削歯および中心部切削歯の切れ味を更に向上させることができる。
【図面の簡単な説明】
【図１】本発明の化粧料容器の一実施形態を示す蓋体を取り外して一部を断面した斜視図である。
【図２】本発明の化粧料容器の一実施形態を示す全体の断面図である。
【図３】本発明の化粧料容器の一実施形態を示す切削皿の平面図である。
【図４】本発明の化粧料容器の一実施形態を示す切削歯の１つを拡大した平面図である。
【図５】本発明の化粧料容器の一実施形態を示す図４中のＡ−Ａ線断面図である。
【図６】本発明の化粧料容器の一実施形態を示す使用状態の断面図である。
【図７】本発明の化粧料容器の他の実施形態を示す切削皿の平面図である。
【図８】本発明の化粧料容器の他の実施形態を示す切削皿の平面図である。
【符号の説明】
１０  化粧料容器
１２  化粧料
１４  切削皿
１４ａ  底面
１４ｅ  開口部
１４ｆ  径方向開口部
１６  切削歯
１８  容器本体
２０  蓋体
２２  中枠
２４  中皿
３２  中央部切削歯
【図１】
0003762081.tif 000002
【図２】
0003762081.tif 000003
【図３】
0003762081.tif 000004
【図４】
0003762081.tif 000005
【図５】
0003762081.tif 000006
【図６】
0003762081.tif 000007
【図７】
0003762081.tif 000008
【図８】
0003762081.tif 000009